(57)【要約】      （修正有）【課題】クレードル上端に固定される各ロープ先端はランチングストロープを張る際に作業員の手が触れない方向に変更し、手の接触による怪我を防止するボートダビットを提供する。【解決手段】一対のボート支持用アームと、ボートを昇降するためのロープ４と、ウインチと、一対のアームに沿って移動するクレードル７と、ランチングストロープ１５とを含むボートダビットであって、クレードル上端１４に固定されるロープ先端６を、ランチングストロープ１５を張る際に作業員の手が触れない方向に変更する。【選択図】図６
2014091435.tif 000002
【特許請求の範囲】
【請求項１】
固定された一対のボート支持用アームと、ボートを昇降するため、各アーム先端の滑車を介して移動されるロープと、このロープの操作用ウインチと、ボートの船側側面に備えられ、上端に前記各ロープの先端が固定されて一対のアームに沿って移動するクレドールと、このクレドール上端とボートとの間に張られたランチングストロープとを含むボートダビットにおいて、前記、クレドール上端に固定される各ロープ先端はランチングストロープを張る際に作業員の手が触れない方向に変更し、手の接触による怪我を防止するようにしたことを特徴とするボートダビット。
【請求項２】
請求項１において、各ロープ先端６をかしめ、これによりランチングストロープを張る際、人体の手が接触しても怪我のないようにする請求項１のボートダビット。
【発明の詳細な説明】
【技術分野】
【０００１】
本発明は船舶の甲板上に設置された救命ボート、警備艇等のボートをその格納位置から
船外に、あるいは船外から格納位置に安全かつ迅速に移動し得るボートダビットに係り、
特に、ランチングストロープをボートからクレードル上端に張る際、ロープ先端が作業員
の手に接触しないようにしたボートダビットに関する。
【背景技術】
【０００２】
この種のボートダビットとして図１に示されるものが知られている。図１中、Ａはボー
トダビットである。図１に示すように、ボートダビットＡは甲板１上に互いに離れて設け
られた一対のボート支持用アーム２を有し、その先端にはそれぞれ、ロープ４を掛ける滑
車３が設置されている。
【０００３】
これらのボート支持用アーム２は図２に見られるように鉛直方向に対し若干傾斜して船の甲板１および側壁１１に固定され、好ましくは図示のように略くの字状に曲がっている。なお、図中、１２および１３は取付部材であり、５は各ボート支持用アーム２の滑車３に掛けられたロープ４の操作用ウインチである。
【０００４】
そして、このボートダビットＡは図示のように、ボート９の船側に備えられたクレードル７を含み、クレードル７の上端でボート支持用アーム２とほぼ同じ間隔離れた二箇所にクレードル上端１４が備えられ、そこに各ロープ先端６がつながれる。
【０００５】
また、クレードル７の両側には一連のローラ８が設置され、それらのローラ８はボート支持用アーム２に沿って転がり移動するようになっている。
【０００６】
ボート９の船首および船尾近傍の二箇所にはロープを取り外し自在に取り付け得る取付具１６が固定され、クレードル上端１４とボート９の取付具１６との間に張られた所定長のランチングストロープ１５によってボート９が支持される。
【０００７】
しかし、従来の前記技術ではランチングストロープ１５をボート９の取付具１６からクレードル上端１４に張る際、図４および図５に示されるようにロープ先端６が作業員の手に触れ、怪我をするという欠点を有していた。
【先行技術文献】
【特許文献】
【０００８】
【特許文献１】特願２０１２−０４７８４２
【発明の概要】
【発明が解決しようとする課題】
【０００９】
それ故、この発明が解決しようとする課題はランチングストロープをボートの取付具からクレードル上端に張る際、ロープ先端が作業員の手に触れないようにし、上述の公知技術に存する欠点を改良したボートダビットを提供することにある。
【課題を解決するための手段】
【００１０】
上述の課題を解決するため、本発明のボートダビットによれば、固定された一対のボー
ト支持用アームと、ボートを昇降するため、各アーム先端の滑車を介して移動されるロー
プと、このロープの操作用ウインチと、ボートの船側側面に備えられ、上端に前記各ロー
の先端が固定されて一対のアームに沿って移動するクーレドルと、このクレードル上端と
ボートとの間に張られたランチングストロープとを含むボートダビットにおいて、前記ク
レードル上端に固定される各ロープ先端はランチングストロープを張る際に作業員の手が
触れない方向に変更し、手の接触による怪我を防止するようにしたことを特徴とする。
【発明の効果】
【００１１】
上述の本発明にかかるボートダビットはクレドール上端に固定される各ロープ先端を、ランチングストロープをボートの取付具からクレードル上端に張る際に、作業員の手に触れない方向に変更したから、手の接触による怪我が防止される。
【図面の簡単な説明】
【００１２】
【図１】本発明に係るボートダビットの正面図である。
【図２】図１の側面図である。
【図３】ボートの取付具にランチングストロープを取りつける状態を示した平面図である。
【図４】クレードル上端にランチングストロープを取りつけた状態の公知の例である。
【図５】クレードル上端にランチングストロープを取りつけた状態の公知の具体例である。
【図６】クレードル上端にランチングストロープを取りつけた状態の本発明に係る具体例である。
【図７】本発明に用いられるランチングストロープの一具体例の平面図である。
【発明を実施するための形態】
【００１３】
以下、本発明を添付図面を用いて詳述する。
【００１４】
図１は本発明にかかるボートダビットＡの正面図、図２は図１の側面図である。図１に示すように、ボートダビットＡは甲板１上に互いに離れて設けられた一対のボート支持用アーム２、２を有し、その先端にはそれぞれ、ロープ４を掛ける滑車３が設置されている。
【００１５】
これらのボート支持用アーム２、２は前述のとおり、さらには図２に示されるように、略くの字に曲がっており、取付部材１２、１３によって、船の甲板１および側壁１１に固定されている。５はボート支持用アーム２の滑車３に掛けられたロープ４の操作用ウインチである。
【００１６】
そして、このボートダビットＡは図示のように、ボート９の船側に備えられたクレードル７を含み、クレードル７の上端でボート支持用アーム２とほぼ同じ間隔離れた二箇所に
クレードル上端１４が備えられ、そこに各ロープ先端６ががれる。
【００１７】
また、クレードル７の両側には一連のローラ８が設置され、それらのローラ８はボート
支持用アーム２に沿って転がり移動するようになっている。好ましくはこれらのローラ８
はゴムで作られる。
【００１８】
ボート９の船首および船尾近傍の二箇所にはロープ４を取り外し自在に取り付け得る取付具１６が固定され、クレードル上端１４とボート９の取付具１６との間に張られた所定長のランチングストロープ１５によってボート９が支持される。
【００１９】
図７はランチングストロープ１５の一具体例の平面図であって、一端のリング１７、他
端のフック１８を備えて構成される。このランチングストロープ１５は図３に示されるよ
うに、一端のリング１７をボート９の取付具１６に取りつけ、他端のフック１８を図４お
よび図５に示されるようにクレードル上端１４のロープ４に引っ掛け、これにより、ラン
チングストロープ１５はクレードル上端１４とボート９の取付具１６との間に張りつけら
れる。
【００２０】
しかし、ランチングストロープ１５のフック１８をクレードル上端１４に引っ掛ける際、ロープ先端６が作業員の手に触れ、怪我をすることがある。これを防ぐため、ロープ先端６を図６に示されるように、図４、５とは逆の方向に向けて変更し、手の接触による怪我を防止する。また、各ロープ先端をかしめて防いでもよい。
【産業上の利用可能性】
【００２１】
一対のボート支持用アームと、ボートを昇降するためのロープと、ウインチと、一対の
アームに沿って移動するクレードルと、ランチングストロープとを含むボートダビットに
おいて、クレードル上端に固定されるロープ先端を、ランチングストロープを張る際に、
作業員の手が触れない方向に変更し、手の接触による怪我を防止するようにしたから、ボ
ートダビット分野において利用可能性が高い。
【符号の説明】
【００２２】
Ａ  ボートダビット
１  甲板
２  ボート支持用アーム
３  滑車
４  ロープ
５  ウインチ
６  ロープ先端
７  クレードル
８  ローラ
９  ボート      
１０  船側側面
１１  側壁
１２  取付部材
１３  取付部材
１４  クレードル上端
１５  ランチングストロープ
１６  取付具
１７  リング
１８  フック
【図１】
2014091435.tif 000003
【図２】
2014091435.tif 000004
【図３】
2014091435.tif 000005
【図４】
2014091435.tif 000006
【図５】
2014091435.tif 000007
【図６】
2014091435.tif 000008
【図７】
2014091435.tif 000009
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
固定された一対のボート支持用アームと、ボートを昇降するため、各アーム先        端端の滑車を介して移動されるロープと、このロープの操作用ウインチと、ボー
トの船側側面に備えられ、上端に前記各ロープの先端が固定されて一対のアーム
に沿って移動するクレードルと、このクレードル上端とボートとの間に張られた
ランチングストロープとを含むボートダビットにおいて、前記ランチングストロ
ープをボートからクレードル上端に張る際、ロープ先端が作業員の手に接触しな
い方向に変更し、手の接触による怪我を防止するようにしたことを特徴とするボ
ートダビット。
【請求項２】
請求項１において、各ロープ先端をかしめ、これによりランチングストロープ
を張る際、人体の手が接触しても怪我のないようにする請求項１のボートダビッ        ト。
【手続補正２】
【補正対象書類名】明細書
【補正対象項目名】００１６
【補正方法】変更
【補正の内容】
【００１６】
そして、このボートダビットＡは図示のように、ボート９の船側に備えられた        クレードル７を含み、クレードル７の上端でボート支持用アーム２とほぼ同じ間        隔離れた２個所にクレードル上端１４が備えられ、そこに各ロープ先端６がつな        がれる。